(57)【要約】【課題】下部にオイルパンが一体化されている内燃機関のクランクケースにおいて、簡単な構造によって、クランクケース内の結露を防止し、潤滑油希釈の防止を可能にしようとするものである。【解決手段】、クランクケースのうち少なくともオイルパン部分をカバーするクランクケースカバーをクランクケース底面に設けた。また、クランクケースとクランクケースカバーとの間に断熱材を設けた。あるいは、クランクケースとクランクケースカバーとの間に、シリンダあるいはシリンダヘッドを冷却するために循環させる冷却水を流す冷却水通路を設けた。【選択図】          図１
2007278240.tif 000002
【特許請求の範囲】
【請求項１】
下部にオイルパンが一体化されている内燃機関のクランクケースにおいて、クランクケースのうち少なくともオイルパン部分をカバーするクランクケースカバーをクランクケース底面に設けたことを特徴とする内燃機関のクランクケース。
【請求項２】
クランクケースとクランクケースカバーとの間に、断熱材が設けてあることを特徴とする請求項１に記載の内燃機関のクランクケース。
【請求項３】
クランクケースとクランクケースカバーとの間に、シリンダあるいはシリンダヘッドを冷却するために循環させる冷却水を流す冷却水通路が設けてあることを特徴とする請求項１あるいは請求項２に記載の内燃機関のクランクケース。
【請求項４】
下部にオイルパンが一体化されている内燃機関のクランクケースにおいて、クランクケースが二重壁構造であり、その二重壁内の空間を、シリンダあるいはシリンダヘッドを冷却するために循環させる冷却水を流す冷却水通路とすることを特徴とする内燃機関のクランクケース。
【請求項５】
上記二重壁構造は、オイルパンを囲うように設けられることを特徴とする請求項４に記載の内燃機関のクランクケース。
【請求項６】
上記冷却水通路が設けられているクランクケースの側面に冷却水ポンプを設けたことを特徴とする請求項４又は請求項５に記載の内燃機関のクランクケース。
【発明の詳細な説明】
【技術分野】
【０００１】
本発明は内燃機関のクランクケースの構造に関するものであり、クランクケース内結露を防止し、結露の流入による潤滑油の希釈を防止するクランクケースの構造に関するものである。
【背景技術】
【０００２】
外気温が低い状況で暖機運転を行うと、クランクケース内に洩れてきたブローバイガスと、クランクケースあるいは潤滑油との温度差が大きいため、ブローバイガス中に含まれる水蒸気や炭化水素がクランクケース内で結露し、潤滑油に混入して、潤滑油を希釈する場合がある。外気温が低い状況での運転初期の走行中にも結露や潤滑油の希釈が生じるおそれがある。
【０００３】
従来技術として特許文献１に、内燃機関を冷却する冷却水を、内燃機関始動時に加熱して、これによって潤滑油を加温して暖気時間を短縮する技術が開示されている。この技術では、潤滑油温度制御用冷却水通路へ流す冷却水をヒータ通路に導入して加熱し、これによって潤滑油を温めるようになっている。
【０００４】
【特許文献１】特開２００４−２１８５０２号公報（図３）。
【発明の開示】
【発明が解決しようとする課題】
【０００５】
従来の技術においては、冷却水を加熱するために、冷却水をヒータ通路に導入して加熱するようになっているのでヒータを設ける必要があり、構造が複雑であった。本発明は簡単な構造によって、潤滑油を保温あるいは加温し、潤滑油希釈の防止を可能にしようとするものでる。
【０００６】
本明細書では、「結露」は、湿りガスが、冷たい固体表面に接触して液化する場合だけでなく、冷たい液体表面に接触して液化する場合も含めて、結露と称している。
【課題を解決するための手段】
【０００７】
本発明は上記課題を解決したものであって、請求項１に記載の発明は、下部にオイルパンが一体化されている内燃機関のクランクケースにおいて、クランクケースのうち少なくともオイルパン部分をカバーするクランクケースカバーをクランクケース底面に設けたことを特徴とする内燃機関のクランクケースに関するものである。
【０００８】
請求項２に記載の発明は、請求項１に記載の内燃機関のクランクケースにおいて、クランクケースとクランクケースカバーとの間に、断熱材が設けてあることを特徴とするものである。
【０００９】
請求項３に記載の発明は、請求項１あるいは請求項２に記載の内燃機関のクランクケースにおいて、クランクケースとクランクケースカバーとの間に、シリンダあるいはシリンダヘッドを冷却するために循環させる冷却水を流す冷却水通路が設けてあることを特徴とするものである。
【００１０】
請求項４に記載の発明は、下部にオイルパンが一体化されている内燃機関のクランクケースにおいて、クランクケースが二重壁構造であり、その二重壁内の空間を、シリンダあるいはシリンダヘッドを冷却するために循環させる冷却水を流す冷却水通路とすることを特徴とする内燃機関のクランクケースに関するものである。
【００１１】
請求項５に記載の発明は、請求項４に記載の内燃機関のクランクケースにおいて、上記二重壁構造は、オイルパンを囲うように設けられることを特徴とするものである。
【００１２】
請求項６に記載の発明は、請求項４又は請求項５に記載の内燃機関のクランクケースにおいて、上記冷却水通路が設けられているクランクケースの側面に冷却水ポンプを設けたことを特徴とするものである。
【発明の効果】
【００１３】
請求項１の発明において、少なくともオイルパン部分をカバーするクランクケースカバーをクランクケース底面に設けたことによって、オイルパンが外気あるいは走行風と接触する面積が小さくなるので、潤滑油の冷却が防止される。潤滑油の冷却が防止されると、ブローバイガスとの温度差が小さくなり、結露防止の効果が生じる。
【００１４】
請求項２の発明によって、外気温や走行風の影響をさらに受けにくくし、結露を防止することができる。
【００１５】
請求項３の発明によって、暖気運転時にシリンダやシリンダヘッドを循環して昇温した冷却水でクランクケースを暖めるので、一層早くクランクケース内結露が防止される。また、冷却水とクランクケース内の潤滑油との熱交換を行うことによって、潤滑油の温度を高め、潤滑油の希釈を防止することが出来る。特にオイルパン部では、潤滑油との熱交換が促進され結露防止に役立つ。暖気運転終了後には、水をラジエータ経由で流せば、オイルパンに設けた冷却水通路は、オイルクーラの役割を果たすことができる。
【００１６】
請求項４の発明によって、クランクケースの剛性が高められ、振動騒音が低減されると共に、二重壁内のスペースを有効利用して潤滑油と冷却水との熱交換を行わせ、結露を防止することが出来る。暖気運転終了後には、水をラジエータ経由で流せば、オイルパンに設けた冷却水通路は、オイルクーラとしての役割を果たすことができる。
【００１７】
請求項５の発明によって、オイルパンを覆うようにカバーが設けられるので、オイルパンの一部を覆う場合に比して、冷却水通路とオイルパンの熱交換面積を大きくすることができ、結露防止効果を高めることができる。
【００１８】
請求項６の発明によって、オイルパン部二重壁を冷却水通路とし、冷却水ポンプをクランクケースカバー側面に設けたので、配管レイアウトが容易となり、配管長を短くすることができ、冷却水を円滑に循環させることができる。
【発明を実施するための最良の形態】
【００１９】
図１は、本発明の第１実施形態に係るウェットサンプ式４ストロークサイクル内燃機関の要部断面を左方から見た図であり、矢印Ｆはこの内燃機関の前方を指している。図示の範囲において、内燃機関の外殻は、クランクケース１、クランクケース１と一体化したシリンダ２、シリンダヘッド３、ヘッドカバー４、クランクケース下部のオイルパン５、およびエアクリーナ６から構成されている。シリンダ２の中にはピストン７が摺動可能に収容され、コンロッド８を介してクランク軸９と接続されている。
【００２０】
シリンダヘッド３のピストン７側に燃焼室10が設けてある。シリンダヘッド３には吸気ポート11と排気ポート12が設けられ、その内端がそれぞれ上記燃焼室10に開口している。吸気ポート11と排気ポート12の内端開口には、それぞれの開口を開閉する吸気弁13と排気弁14が設けてある。
【００２１】
シリンダヘッド３とヘッドカバー４の内部空間の境界部付近に、吸気ロッカーアーム軸15、排気ロッカーアーム軸16、およびカム軸17が設けてある。シリンダの側部にカムチェーン室18が設けてあり、クランク軸９によって駆動されるカムチェーン（図示なし）が収容され、カム軸17を駆動するようになっている。カム軸17に形成されているカムによって、吸気ロッカーアーム19、排気ロッカーアーム20を介して、吸気弁13、排気弁14が開閉駆動される。
【００２２】
ヘッドカバー４の後方にエアクリーナ６が設けてある。エアクリーナ６は空気取入口21とフィルタ22を備え、フィルタ22の下流側に清浄空気室23が設けてある。清浄空気室23と吸気ポート11は吸気管24を介して連結されている。吸気管24の途中には気化器25が設けてある。ヘッドカバー４の内部空間とエアクリーナ６の清浄空気室23とは、ブローバイガス還流管26によって連結されている。
【００２３】
内燃機関では、燃焼室10で発生した圧力によって、水蒸気、未燃ガス、燃焼ガス等がクランクケース１内にブローバイガスとして洩れる。クランクケース内は、ピストンの下降・上昇に伴って、加圧・減圧される。クランクケース内が加圧された時には、クランクケース内のブローバイガスは、カムチェーン室18を経由してシリンダヘッド３およびヘッドカバー４の内部空間を経由し、ブローバイガス還流管26を経由して清浄空気室23へ送られ、清浄空気と共に吸気管24へ送られ、途中の気化器25において燃料を混入された後、吸気ポート11を経て燃焼室10へ送られ、燃焼に供される。クランクケース内が減圧された時には、清浄空気が、清浄空気室23から、さきに述べたブローバイガス還流経路を逆にたどり、クランクケース１内へ供給される。図において実線矢印はブローバイガス、白抜き矢印は空気である。
【００２４】
外気温が低い状況で暖機運転を行うと、外気温とクランクケース内の温度との差が大きいので、クランクケース内へ洩れてきたブローバイガス中に含まれる水蒸気や炭化水素が、外部から冷却されて低温となったクランクケース内で結露して流下し、また水蒸気や炭化水素が、クランクケース下部のオイルパン５内で、外部から冷却されて低温となった潤滑油29に触れて液化し、これらがオイルパン内の潤滑油29を希釈する。また、外気温が低い状況での運転初期の走行中にも結露や潤滑油の希釈が生じる。
【００２５】
本実施形態では、このようなクランクケース外部からの冷却を防止するために、クランクケース１の外周部にクランクケースカバー27を設けてある。これによって、外気温や走行風の影響を受けにくくなり、クランクケース内の結露と、潤滑油29の冷却が防止される。また、図示のように、クランクケース１とクランクケースカバー27との間の空間に断熱材28を充填すれば、クランクケース内結露の防止と潤滑油の冷却の防止に一層の効果がある。
【００２６】
図２は本発明の第２実施形態の内燃機関の主要部の系統図である。第１実施形態と同じ部材には同じ符号が付してある。内燃機関の主要部の外殻は、クランクケース１、シリンダ２、シリンダヘッド３、ヘッドカバー４、オイルパン５、およびクランクケース１の外周を覆うクランクケースカバー27によって構成されている。オイルパン５には潤滑油29が貯留されている。本実施形態では、クランクケース１とクランクケースカバー27との間は、シリンダ３あるいはシリンダヘッド４を冷却するために循環させる冷却水を流すクランクケース冷却水通路30となっており、その上部の互いに反対側に、冷却水入口31と冷却水出口32が設けてあり、この冷却水を循環駆動するための水ポンプ33が冷却水出口32に接続されて設けてある。内燃機関には、運転時に高温となるシリンダ３およびシリンダヘッド４等を冷却するために、これらの部材の周囲にシリンダ冷却水通路34が設けてある。
【００２７】
内燃機関の暖気運転時には、クランクケース冷却水通路30の冷却水出口32から出た水は、水ポンプ33で昇圧され、シリンダ冷却水通路34を通り、そこで昇温して、配管Ａ、サーモスタット35、配管Ｂ、および配管Ｃを経て冷却水通路30の冷却水入口31へ戻され、循環する。
【００２８】
内燃機関の通常の運転時には、クランクケースやオイルパンを加温する必要がないので、冷却水出口32から出た水は、水ポンプ33で送り出され、シリンダ冷却水通路34を通った後、配管Ａ、サーモスタット35、配管Ｄ、ラジエータ36を通って冷却された後、配管Ｅを経由し、配管Ｃを経て冷却水入口31へ戻され、循環する。
【００２９】
サーモスタット35は、冷却水の温度を検知して水流の方向を制御する装置である。運転初期の冷却水の温度が低い時は、シリンダ冷却水通路34を通過する過程で昇温した水を、配管Ｂ、Ｃの方へ流し、温度の高い状態でクランクケース冷却水通路30へ送る。運転初期には、昇温した水によってクランクケースおよび潤滑油が急速に暖められるので、ブローバイガスがクランクケース内で結露することが防がれ、結露した水分や未燃分がオイルパン内の潤滑油を希釈することが防止される。また、クランクケース内のブローバイガスがオイルパン内の冷たい潤滑油29に接触して液化し、混入して潤滑油を希釈することが防止される。
【００３０】
水温が十分高温となったことがサーモスタット35によって検知されると、流水経路が変更され、シリンダ冷却水通路34を通過した水は、配管Ａ、サーモスタット35を経た後、配管Ｄを通り、ラジエータ36を通過して冷却され、配管Ｅ、配管Ｃを介して冷却水入口へ送られる。配管Ｅは、配管Ｂ、Ｃの接続部37に接続されている。シリンダ冷却水通路34を通過して高温となった水は、ラジエータ36で冷却された後、クランクケース冷却水通路30へ送られるので、クランクケース冷却水通路はオイルクーラとして働き、オイルの過剰な温度上昇を防止することができる。
【００３１】
上記第２実施形態では、クランクケース１の外周部に別体のクランクケースカバー27を設け、クランクケースとクランクケースカバーの間に冷却水通路を設けた例を示したが、次に示す第３実施形態は、クランクケースから発せられる振動・騒音を防ぐため、またはクランクケースの剛性向上のために、オイルパン外周部が予め二重壁構造となるよう製作されたクランクケースの、二重壁の間の空間をクランクケース冷却水通路として活用し、運転開始時のクランクケースや潤滑油の加温に利用する例である。
【００３２】
図３〜図５は本発明の第３実施形態に係る図であり、本発明が適用されるＶベルト式無段変速機一体型内燃機関を備えたパワーユニットのクランクケースおよびクランクケースカバーの図である。このパワーユニットはスクータ型自動二輪車の後部に上下揺動可能に搭載されるもので、内燃機関と動力伝達装置と後輪支持部と駆動輪である後輪とを一体化して構成されるものである。内燃機関は頭上弁式４ストロークサイクル単気筒の水冷式内燃機関である。
【００３３】
図３は左クランクケース40の右面図、図４は右クランクケース41の右面図、図５は右クランクケースカバー42（右クランクケース41の右側をカバーする）の右面図である。図において、矢印Ｆは前方を指している。Ｖベルト式無段変速機は図示していないが、上記左クランクケース40と、図示していない左クランクケースカバー（左クランクケースの左側をカバーする）との間に構成される。
【００３４】
図３は左クランクケース40の右面図である。左クランクケース40の前部と後述の右クランクケース41とは、結合されて、１個のクランクケースを構成する。左右で対になる部分、あるいは左右一対の部分が結合されて１個のまとまった部分になるものがある。このような場合は、以下の説明において、左クランクケースに属するものには符号に「Ｌ」を付し、右クランクケースに属するものには、同じ符号に「Ｒ」を付して表示している。
【００３５】
図３において、左クランクケース40の前部には、クランク軸兼駆動プーリ軸挿通孔43Ｌ、１次バランサ軸挿通孔44Ｌ、駆動プーリ可動半体駆動用電動モータ取付部45Ｌ、およびスタータモータ取付部46、が設けてあり、左クランクケース40の後部には、従動プーリ軸挿通孔47、出力用中間軸挿通孔48、および後輪軸挿通孔49が設けてある。左クランクケース40の前部の下部はオイルパン50Ｌであり、潤滑油が貯留される。このパワーユニットでは、クランクケースから発せられる振動・騒音を防ぐためと、クランクケースの剛性向上のために、オイルパン底部外周に一体的に鋳造されたオイルパンカバー51Ｌが設けてある。オイルパン50Ｌとオイルパンカバー51Ｌとによって二重壁構造が形成されている。両壁の間はシリンダあるいはシリンダヘッドを冷却するために循環させる冷却水を流すオイルパン冷却水通路52Ｌとなる部分である。この通路空間の左側は塞がれ、右側は開放されている。冷却水通路52Ｌの前端部に冷却水入口53が設けてある。
【００３６】
図４は右クランクケース41の右面図である。右クランクケース41は上記左クランクケース40の前部の右側に接続されるものである。クランク軸兼駆動プーリ軸挿通孔43Ｒ、１次バランサ軸挿通孔44Ｒ、および駆動プーリ可動半体駆動用電動モータ取付部45Ｒが設けてある。右クランクケース41の下部にはオイルパン50Ｒ、オイルパンカバー51Ｒが設けてあり、これらは前記左クランクケース40のオイルパン50Ｌ、オイルパン51Ｌに接続される。オイルパン52Ｒ、オイルパンカバー51Ｒの間はオイルパン冷却水通路52Ｒとなる部分である。左右のクランクケースのオイルパン冷却水通路52Ｌ、52Ｒは連続したオイルパン冷却水通路空間50を形成する。オイルパン冷却水通路52Ｒの後半部は左右方向に貫通している。冷却水通路52Ｒの前半部には、左側に寄せて仕切板54が設けてある。これは左右一体の冷却水通路空間52の前半部を左右方向に二分するものである。冷却水通路52Ｒの前半部の右側は開放されている。
【００３７】
図５は右クランクケースカバー42の右面図である。これは、右クランクケース41の右面を覆うものである。右クランクケースカバー42の上部には水ポンプ57が設けてある。右クランクケースカバー42の中央部にはオイルポンプ61が形成されている。水ポンプ57とオイルポンプ61とを、共通のポンプカバー65が覆っている。水ポンプ57の中央部に対応するポンプカバー65の外面に水吸入口58が設けてある。水ポンプの近くに水吐出口60が設けてある。
【００３８】
右クランクケースカバー42の下部は、前記右クランクケース41のオイルパン冷却水通路52Ｒの右側開放部を覆い、冷却水通路空間52の右壁55となる部分である。冷却水通路の前端部に水ポンプへ向かう水出口56が設けてある。図３に示した左クランクケース前端の冷却水入口53から注入された水は、図４の仕切板54の左側を後方へ流れて冷却水通路空間52の後半部に至り、そこでＵターンして仕切板54の右側を前方へ向かって流れ、図５の水出口56から流出する。上記水出口56とポンプカバー65外面の水吸入口58をつなぐゴムホース59を介して冷却水通路52の水が水ポンプ57へ送られ、上記水吐出口60からシリンダ外周部のシリンダ冷却水通路へ送られる。
【００３９】
本実施形態の冷却水の循環経路は図２に示したものと同じである。水ポンプの水吐出口60から吐出され、シリンダ、シリンダヘッドを循環して昇温した水は、図２の配管Ａ，サーモスタット35、配管Ｂ、配管Ｃを経て、図３に示す左クランクケース40の水入口53からオイルパン冷却水通路52に入る。暖気運転中はオイルパン内の潤滑油を加温する。潤滑油の温度が高まると、ブローバイガスの温度との差が減少するのでクランクケース内の結露が生じなくなる。また潤滑油の温度が高まると、潤滑油の粘性による抵抗が減るので、暖気運転時間を短縮することができる。サーモスタット35によって潤滑油の温度が十分高くなったことが検知されると、水の経路は、図２の配管Ａ、サーモスタット35、配管Ｄ、ラジエータ36、配管Ｅ、配管Ｃを経て、図３の左クランクケース40の水入り口53からオイルパン冷却水通路へ入り、オイルパン内の昇温した潤滑油を冷却する。
【００４０】
右クランクケースカバー42の中央部外面にはオイルポンプ本体ケース62が形成され、その外面をポンプカバー65が覆っている。本体ケース62とポンプカバー65との間に、クランク軸によって回転駆動されるオイルポンプ61が構成される。オイルポンプ本体ケース62の下部にオイル吸入口63が設けられ、オイルパンのオイルを吸い上げて、内燃機関の潤滑を要する場所へ供給される。オイルポンプ61の近くにオイルレベルゲージ64が設けてある。
【００４１】
以上詳述した実施形態においては、つぎの効果がもたらされる。
（１）第１実施形態では、少なくともオイルパン部分をカバーするクランクケースカバーをクランクケース底面に設けたことによって、潤滑油の冷却が防止される。ブローバイガスとの温度差が小さくなり、結露を防止することができる。
（２）外気温や走行風の影響をさらに受けにくくし、結露を防止することができる。
（３）第２実施形態では、暖気運転時にシリンダやシリンダヘッドを循環して昇温した冷却水でクランクケースを暖めるので、一層早くクランクケース内結露が防止される。暖気運転終了後には、水をラジエータ経由で流せば、オイルパン冷却水通路はオイルクーラとして役立つ。
（４）第３実施形態では、クランクケースの剛性が高められ、振動騒音が低減されると共に、二重壁内のスペースを有効利用して潤滑油と冷却水との熱交換を行わせ、結露を防止することが出来る。暖気運転終了後には、水をラジエータ経由で流せば、オイルパン冷却水通路は、オイルクーラとしての役割を果たすことができる。
（５）オイルパンを覆うようにオイルパンカバーが設けられるので、オイルパンの一部を覆う場合に比して、冷却水通路とオイルパンの熱交換面積を大きくすることができ、結露防止効果を高めることができる。
（６）オイルパン部二重壁を冷却水通路とし、冷却水ポンプをクランクケースカバー側面に設けたので、配管レイアウトが容易となり、配管長を短くすることができる、冷却水を円滑に循環させることができる。
【図面の簡単な説明】
【００４２】
【図１】本発明の第１実施形態に係る内燃機関の要部断面を左方から見た図である。
【図２】本発明の第２実施形態の内燃機関の主要部の系統図である。
【図３】本発明の第３実施形態の左クランクケースの右面図である。
【図４】本発明の第３実施形態の右クランクケースの右面図である。
【図５】本発明の第３実施形態の右クランクケースカバーの右面図である。
【符号の説明】
【００４３】
１…クランクケース、２…シリンダ、３…シリンダヘッド、４…ヘッドカバー、５…オイルパン、27…クランクケースカバー、28…断熱材、29…潤滑油、30…クランクケース冷却水通路、31…冷却水入口、32…冷却水出口、33…水ポンプ、34…シリンダ冷却水通路、35…サーモスタット、36…ラジエータ、37…接続部、40…左クランクケース、41…右クランクケース、42…右クランクケースカバー、50Ｌ、50Ｒ…オイルパン、51Ｌ、51Ｒ…オイルパンカバー、52Ｌ、52Ｒ…オイルパン冷却水通路、52…左右合体したオイルパン冷却水通路空間、53…冷却水入口、54…仕切板、56…水ポンプへ向かう水の出口、57…水ポンプ
、58…水吸入口、59…ゴムホース、60…水ポンプの水吐出口、61…オイルポンプ、65…ポンプカバー。
【図１】
2007278240.tif 000003
【図２】
2007278240.tif 000004
【図３】
2007278240.tif 000005
【図４】
2007278240.tif 000006
【図５】
2007278240.tif 000007